(57)【要約】【課題】来訪者と応答者の間の通話における利便性を高めたインターホンシステムを提供する。【解決手段】本発明は、屋外に設置される子機と、屋内に設置される親機を備え、子機は、呼び出す応答者に対応した複数の呼出釦を有し、親機は、呼出釦に対応づけられた応答者に子機からの呼び出しを知らせる報知手段を有し、子機からの呼び出しに対して親機で応答することにより子機と親機との間の通話を可能にするインターホンシステムにおいて、親機は、呼出釦ごとの動作情報と親機から離れた場所で通話する外部端末の情報とを記憶する呼出釦別機能記憶部と、呼出釦別機能記憶部に記憶された動作情報に応じて子機と外部端末との間の通話を可能にする転送処理を行う転送処理部とを有するものであることを特徴としている。【選択図】　図３
2004112043.tif 000002
【特許請求の範囲】
【請求項１】
屋外に設置される子機と、屋内に設置される親機を備え、子機は、呼び出す応答者に対応した複数の呼出釦を有し、親機は、応答者に子機からの呼び出しを知らせる報知手段を有し、子機からの呼び出しに対して親機で応答することにより子機と親機との間の通話を可能にするインターホンシステムにおいて、親機は、呼出釦ごとの動作情報と親機から離れた場所で通話する外部端末の情報とを記憶する呼出釦別機能記憶部と、呼出釦別機能記憶部に記憶された動作情報に応じて子機と外部端末との間の通話を可能にする転送処理を行う転送処理部とを有するものであることを特徴とするインターホンシステム。
【請求項２】
親機は、呼出釦別機能設定部に動作情報を設定する機能設定部を有し、呼出釦別機能記憶部は、呼出釦ごとに転送処理をするかしないかの動作情報を設定されるものであることを特徴とする請求項１記載のインターホンシステム。
【請求項３】
子機は、転送処理部に転送処理を行うように指示する通話転送釦を有するものであることを特徴とする請求項１記載のインターホンシステム。
【請求項４】
通話転送釦は、呼び出す応答者に対応したものであることを特徴とする請求項３記載のインターホンシステム。
【請求項５】
通話転送釦は、親機が子機からの呼び出しに対して所定の時間応答をしないときに使用可能となるものであることを特徴とする請求項３または４記載のインターホンシステム。
【発明の詳細な説明】
【０００１】
【発明の属する技術分野】
本発明は、複数の応答者を呼び出せるインターホンシステムに関する。
【０００２】
【従来の技術】従来より、屋外に設置された子機から屋内に設置された親機を呼び出して屋内と屋外との間で通話するインターホンシステムが知られている。このものは、一区画に複数の世帯が住むような場合や、一家族であってもその特定の者に直接通話する場合には、複数の子機を屋外に設置する必要があるため、インターホンシステムの設置費用が高くなり、美観に好ましい影響を与えるものではなかった。この問題に対処するために、特開平７−２２１８５６号公報には、一台の子機により複数の応答者を呼び出すことができるインターホンシステムの構成について開示している。
【０００３】
【特許文献１】
特開平７−２２１８５６号公報
【０００４】
【発明が解決しようとする課題】
しかしながら、特開平７−２２１８５６号公報に開示された構成は、１台の子機に複数の呼出釦（押ボタンスイッチ）を有して応答者（住人）を選択的に呼び出せるが、所望の応答者が外出中であるなど親機の近くにいない場合には、通話を行えるものではなかった。
【０００５】
本発明は、上記事由に鑑みてなしたもので、来訪者と応答者の間の通話における利便性を高めたインターホンシステムを提供することにある。
【０００６】
【課題を解決するための手段】
請求項１に係る発明は、屋外に設置される子機と、屋内に設置される親機を備え、子機は、呼び出す応答者に対応した複数の呼出釦を有し、親機は、応答者に子機からの呼び出しを知らせる報知手段を有し、子機からの呼び出しに対して親機で応答することにより子機と親機との間の通話を可能にするインターホンシステムにおいて、親機は、呼出釦ごとの動作情報と親機から離れた場所で通話する外部端末の情報とを記憶する呼出釦別機能記憶部と、呼出釦別機能記憶部に記憶された動作情報に応じて子機と外部端末との間の通話を可能にする転送処理を行う転送処理部とを有するものであることを特徴としている。
【０００７】
したがって、来訪者が呼出釦により、それに対応づけられた応答者を呼び出したときに、その応答者が外出中などで親機の近くにいないときにも、転送処理部は、呼出釦別機能記憶部に記憶された動作情報と親機から離れた場所で通話可能な外部端末の情報により、外部端末に転送処理を行うため、来訪者は取り次ぎなどを必要とせず直接所望の応答者と通話することができる。
【０００８】
請求項２に係る発明は、請求項１記載のインターホンシステムにおいて、親機は、呼出釦別機能設定部に動作情報を設定する機能設定部を有し、呼出釦別機能記憶部は、呼出釦ごとに転送処理をするかしないかの動作情報を設定されるものであることを特徴としている。
【０００９】
したがって、応答者が外出するときなど必要なときに、呼出釦別機能記憶部に動作情報として転送処理をするように記憶させれば、来訪者がその応答者を呼び出したときに転送処理が行われるので、その応答者は、外部端末により外出先で来訪者と通話することができる。また、呼出釦別機能記憶部は、呼出釦ごとに動作を設定するので、特に転送処理が必要のない別の応答者は呼出釦別機能記憶部に転送処理をしないように記憶させることにより、親機で来訪者と通話することができる。このことにより、応答者の側で転送処理をするかしないかを設定することができる。
【００１０】
請求項３に係る発明は、請求項１記載のインターホンシステムにおいて、子機は、転送処理部に転送処理を行うように指示する通話転送釦を有するものであることを特徴としている。
【００１１】
したがって、来訪者は、所望の応答者が外出中などで親機の近くにいないときにも、通話転送釦を押すことにより、取り次ぎなどを必要とせず直接応答者と通話することができるので、通話を転送するかしないかを自身で決めることができる。
【００１２】
請求項４に係る発明は、請求項３記載のインターホンシステムにおいて、通話転送釦は、呼び出す応答者に対応したものであることを特徴としている。
【００１３】
したがって、来訪者は、所望の応答者が外出中などで親機の近くにいないときにも、その応答者に対応した通話転送釦を押すことにより、取り次ぎなどを必要とせず直接応答者と通話することができる。
【００１４】
請求項５に係る発明は、請求項３または４記載のインターホンシステムにおいて、通話転送釦は、親機が子機からの呼び出しに対して所定の時間応答をしないときに使用可能となるものであることを特徴としている。
【００１５】
したがって、来訪者は、所望の応答者が親機の近くにいないことを確認してから通話転送釦を使用することができるようになるので、押し間違いなどで不必要に外部端末を呼び出すことを防ぐことができる。
【００１６】
【発明の実施の形態】
（第１の実施形態）
次に、請求項１と請求項２の発明に係る一実施形態を図１乃至図３を用いて説明する。このものは、図１に示すように、子機１と、子機１と有線で接続される親機２と、親機２と無線で接続される外部端末３とを有して構成されている。
【００１７】
子機１は、住宅の玄関などの屋外に設置され、来訪者が居住者（応答者）を呼び出して通話するために用いるものである。このものは、図２に示すように、４つの呼出釦１１と、制御部１２と、演算部１３と、スピーカ部１４と、マイク部１５と、親機インターフェイス部１６とを有して構成されている。
【００１８】
呼出釦１１は、子機１の外側表面に４つ設けられており、それぞれの呼出釦１１ごとに応答者が割り当てられている。そのため、来訪者は、呼出釦１１を選択して操作することにより、応答者を選択することができる。これらの呼出釦１１は、制御部１２に接続されており、それぞれの呼出釦１１に固有の信号を制御部１２に出力する。
【００１９】
制御部１２は、呼出釦１１と、演算部１３とに接続され、呼出釦１１から入力される呼出釦１１に固有の信号を親機２に送信するための制御など、子機１の各種制御を行うものである。このものは、呼出釦１１に固有の信号を演算部１３に入力する。
【００２０】
演算部１３は、制御部１２と、スピーカ部１４と、マイク部１５と、親機インターフェイス部１６とに接続され、子機１と親機２の間で送受信される信号の増幅、減衰、変復調などの信号処理を行うものである。このものは、制御部１２から、呼出釦１１に固有の信号が入力され、送信に必要な信号処理を行って親機インターフェイス部１６に出力する。また、このものは、マイク部１５から入力される音声信号に信号処理を行って親機インターフェイス部１６に出力する。一方、このものは、親機２や外部端末３から送信される音声信号に信号処理を行い、スピーカ部１４に出力する。
【００２１】
スピーカ部１４は、演算部１３に接続され、演算部１３から音声信号が入力されるものである。このものは、入力された音声信号を音声に変換して外部に出力する。このことにより、来訪者は、親機２や外部端末３から子機１に送信される音声を聞くことができる。
【００２２】
マイク部１５は、演算部１３に接続され、来訪者の音声が入力されるものである。このものは、入力された音声を電気信号に変換し、演算部１３に出力する。
【００２３】
親機インターフェイス部１６は、演算部１３と接続され、ケーブルを介して親機２に接続されている。このものは、演算部１３から入力される信号を親機２に送信するとともに、親機２から送信される音声信号を受信する。
【００２４】
親機２は、住宅などの屋内に設置され、来訪者からの呼び出しに応答者が応答し、通話するものである。このものは、図３に示すように、応答釦２１と、機能設定部２２と、呼出釦別機能記憶部２３と、制御部２４と、ＲＯＭ２５と、ＲＡＭ２６と、演算部２７と、マイク部２８と、スピーカ部２９と、報知音記憶部２ａと、転送処理部２ｃと、外部回線インターフェイス部２ｄと、子機インターフェイス部２ｅとを有して構成されている。
【００２５】
応答釦２１は、制御部２４に接続され、子機１から呼び出しがあったときに操作することにより、子機１と親機２の間で通話ができるようにするものである。
【００２６】
機能設定部２２は、呼出釦別転送先設定部２２１と、呼出釦別動作設定部２２２とを有して構成されており、制御部２４に接続されている。呼出釦別転送先設定部２２１は、呼出釦１１ごとに外部端末３への接続の手順を設定するものであり、設定内容を制御部２４を介して呼出釦別機能記憶部２３に記憶させる。この接続の手順は、例えば、外部端末３が携帯電話や、一般の固定電話のときには、電話番号が設定される。また、呼出釦別動作設定部２２２は、呼出釦１１ごとに呼出釦１１が押されたときに報知手段２ｂで鳴らす呼出音や、子機１と外部端末３との通話を行う転送処理をするかどうかなどの動作情報を設定するものであり、設定内容を制御部２４を介して呼出釦別機能記憶部２３に記憶させる。
【００２７】
呼出釦別機能記憶部２３は、制御部２４に接続され、機能設定部２２で設定された、呼出釦１１が押されたときに報知手段２ｂで鳴らす呼出音や、子機１と外部端末３との通話を行う転送処理をするかどうかなどの動作情報や、外部端末３への接続の手順などの情報をそれぞれの呼出釦１１ごとに記憶するものである。
【００２８】
制御部２４は、応答釦２１と、機能設定部２２と、呼出釦別機能記憶部２３と、ＲＯＭ２５と、ＲＡＭ２６と、演算部２７と、転送処理部２ｃとに接続されている。このものは、子機１より送信される呼出釦１１に固有の信号が入力され、その信号からどの呼出釦１１が入力されたかを判断し、それに対応する動作情報を呼出釦別機能記憶部２３から入力する。そして、このものは、呼出釦１１に対応した呼出音を鳴らすときには、報知手段２ｂを制御し、転送処理を行う場合には転送処理部２ｃを制御する。
【００２９】
ＲＯＭ２５は、制御部２４に接続され、制御部２４が動作するために必要な情報が記憶されるものである。ＲＡＭ２６は、制御部２４と接続されており、制御部２４の演算領域として用いられるものである。
【００３０】
演算部２７は、制御部２４と、マイク部２８と、スピーカ部２９と、報知音記憶部２ａと、転送処理部２ｃと、子機インターフェイス部２ｅとに接続されており、子機１と親機２の間で送受信される信号の増幅、減衰、変復調などの信号処理を行うものである。このものは、子機１から子機インターフェイス部２ｅを介して入力される音声信号に信号処理を行い、スピーカ部２９に出力する。また、このものは、子機１から子機インターフェイス部２ｅを介して入力されるそれぞれの呼出釦１１に固有の信号に信号処理を行い、制御部２４に出力する。一方、このものは、マイク部２８から入力される音声信号や、転送処理部２ｃなどを介して外部端末３から入力される音声信号に信号処理を行って子機インターフェイス部２ｅに出力する。
【００３１】
マイク部２８は、演算部２７に接続され、親機２で応答する応答者からの音声が入力され、それを電気信号に変換して演算部２７に出力する。
【００３２】
スピーカ部２９は、演算部２７と接続され、演算部２７から音声信号が入力され、それ音声に変換して外部に出力する。このことにより、応答者は、子機１から親機２に送信される音声を聞くことができる。
【００３３】
報知音記憶部２ａは、演算部２７に接続され、呼出釦１１の数以上の様々な呼出音のデータを記憶するものである。この呼出音は、種々のブザー音や、チャイム音、人間の声などの音声データとして記憶されている。人間の声を呼出音とするときには、あらかじめ応答者として想定される者を含む音声データとすることができる。例えば、呼出音を「お父さんにお客様です。」などとすることができる。
【００３４】
ここで、演算部２７と、スピーカ部２９と、報知音記憶部２ａとで呼出釦１１に対応づけられた応答者に子機１からの呼び出しを知らせる報知手段２ｂを構成している。この報知手段２ｂは、制御部２４により制御され、呼出釦１１に対応した呼出音を鳴らす。
【００３５】
転送処理部２ｃは、制御部２４と、演算部２７と、外部回線インターフェイス部２ｄに接続され、制御部２４の信号により子機１と外部端末３との間で通話を行うための転送処理を行うものである。このものは、呼出釦別機能記憶部２３に記憶された外部端末３への接続の手順にしたがい、外部回線インターフェイス部２ｄと外部端末３との間で通信ができるようにする。この転送処理を行うことにより、子機１からの音声信号は演算部２７から転送処理部２ｃに入力され、外部回線インターフェイス部２ｄを介して外部端末３に送信される。また、外部端末３からの音声信号はこの逆の経路で子機１に送信される。
【００３６】
外部回線インターフェイス部２ｄは、転送処理部２ｃに接続される電話機である。このものは、転送処理部２ｃから制御され、呼出釦別機能記憶部２３に記憶された接続手順で外部端末３との間で通信ができるようにしている。ここでは、外部回線インターフェイス部２ｄは、電話機であるので、呼出釦別機能記憶部２３に記憶された外部端末３の電話番号に電話をかけることにより外部端末３との間で通信ができるようにする。そして、転送処理部２ｃから入力される音声信号を外部端末３に送信し、外部端末３から受信した音声信号を転送処理部２ｃに出力する。
【００３７】
子機インターフェイス部２ｅは、演算部２７と接続され、ケーブルを介して子機１に接続されている。このものは、演算部２７から入力される信号を子機１に送信するとともに、子機１から送信される音声信号を受信して、その信号を演算部２７に出力する。
【００３８】
外部端末３は、携帯電話であり、外部回線インターフェイス部２ｄからの発信により親機２と通信が可能となり、親機２を介して子機１と通話ができるようになる。また、この外部端末３は、携帯電話を用いることが多いが、固定電話であってもよい。
【００３９】
次に、第１の実施形態の動作について説明する。ここでは、このものは、父親、母親、息子、娘で構成される家族の住居に設置されているものとし、４つの呼出釦１１１〜１１４は、応答者として、順に父親、母親、息子、娘に割り当てるものとする。このことは、呼出釦別機能記憶部２３に異なる報知手段２ｂを記憶させることにより行われている。
【００４０】
まず、来訪者が呼出釦１１２を操作すると、呼出釦１１２に固有の信号が制御部１２に入力される。そして、この制御部１２は、この信号を制御部２４に送信する。そして、制御部２４は、操作された呼出釦１１が呼出釦１１２であると判断し、呼出釦別機能記憶部２３に記憶された、呼出釦１１２に対応する報知手段２ｂで呼出音を鳴らす。ここで、母親は、自分が設定した呼出音であることがわかるので、親機２で来訪者と通話することができる。したがって、来訪者は、取り次ぎなどを必要とせず、母親と通話することができる。
【００４１】
また、父親が呼出釦別機能設定部２２２で通話を転送するという設定にして外出したとき、来訪者が父親を呼び出すために呼出釦１１１を操作すると、呼出釦１１１に固有の信号が制御部１２に入力される。そして、この制御部１２は、この信号を制御部２４に送信する。そして、制御部２４は、操作された呼出釦１１が呼出釦１１１であると判断し、呼出釦別機能記憶部２３に記憶された呼出釦１１１の動作情報を参照する。ここで、呼出釦別機能記憶部２３は、動作情報として通話を転送することや、転送する外部端末３の情報について記憶しているので、制御部２４は、通話を転送するように転送処理部２ｃを制御し、子機１と外部端末３との間で通話可能にする。したがって、来訪者は、取り次ぎなどを必要とせず、父親と通話することができる。ここで、呼出釦別機能記憶部２３は、呼出釦１１ごとに転送するかしないかを設定することができるので、母親、息子、娘に来訪者があったときは、転送せずに親機２で応答して通話することができる。
【００４２】
このように第１の実施形態においては、来訪者が呼出釦１１によりそれに対応づけられた応答者を呼び出したときに、その応答者が外出中などで親機２の近くにいないときにも、転送処理部２ｃは、呼出釦別機能記憶部２３に記憶された動作情報と親機２から離れた場所で通話可能な外部端末３の情報により、外部端末３に転送処理を行うため、来訪者は取り次ぎなどを必要とせず直接所望の応答者と通話することができる。また、応答者が外出するときなど必要なときに、呼出釦別機能記憶部２３に動作情報として転送処理をするように記憶させれば、来訪者がその応答者を呼び出したときに転送処理が行われるので、その応答者は、外部端末３により外出先で来訪者と通話することができる。また、呼出釦別機能記憶部２３は、呼出釦１１ごとに動作を設定するので、特に転送処理が必要のない別の応答者は呼出釦別機能記憶部２３に転送処理をしないようにすることにより、親機２で来訪者と通話することができる。このことにより、応答者の側で転送処理をするかしないかを設定することができる。
【００４３】
（第２の実施形態）
次に、請求項１と、請求項３と、請求項５の発明に係る一実施形態を図１、図３、図４を用いて説明する。このものは、第１の実施形態と子機１の呼出釦１１の１つ（呼出釦１１４）が通話転送釦１７となっている点で異なり、その他は第１の実施形態と同じ構成である。
【００４４】
通話転送釦１７は、呼出釦別機能記憶部２３で呼出釦１１４の動作情報に特定の情報を記憶させることで実現されるものである。このものは、呼出釦１１が押されてから所定の時間以上応答がないときに使用可能となるようにされており、操作されると転送処理部２ｃにこの呼出釦１１に対応づけられた外部端末３に対して転送処理を行うように指示する。ここで、所定の時間は、留守と判断できる程度の長さの時間であり、適宜設定することができる。
【００４５】
次に、第２の実施形態の動作について説明する。ここでは、このものは、父親、母親、息子で構成される家族の住居に設置されているものとし、４つの呼出釦１１１〜１１３は、応答者として、順に父親、母親、息子に割り当てるものとする。このことは、呼出釦別機能記憶部２３に異なる報知手段２ｂを記憶させることにより行われている。また、呼出釦１１４は、通話転送釦１７となるように設定されている。
【００４６】
ここで、父親が外出しているときに、来訪者が父親を呼び出すために呼出釦１１１を操作すると、呼出釦１１１に固有の信号が制御部１２に入力される。そして、この制御部１２は、この信号を制御部２４に送信する。そして、制御部２４は、操作された呼出釦１１が呼出釦１１１であると判断し、呼出釦別機能記憶部２３に記憶された呼出釦１１１に対応する報知手段２ｂで呼出音を鳴らす。しかし、父親は外出中であるので、応答しない。ここで、所定の時間が経過すると、通話転送釦１７が使用可能となる。来訪者は、ここで通話転送釦１７を操作すると、通話転送釦１７（呼出釦１１４）に固有の信号が制御部１２に入力される。そして、この制御部１２は、この信号を制御部２４に送信する。そして、制御部２４は、操作されたのが通話転送釦１７であると判断し、呼出釦別機能記憶部２３に記憶されているように、転送処理部２ｃに呼出釦１１１に対応づけられた外部端末３に対して転送処理を行うように制御し、子機１と外部端末３との間で通話可能にする。したがって、来訪者は、取り次ぎなどを必要とせず、父親と通話することができる。
【００４７】
このように第２の実施形態においては、来訪者は、所望の応答者が外出中などで親機２の近くにいないときにも、通話転送釦１７を押すことにより、取り次ぎなどを必要とせず直接応答者と通話することができるので、通話を転送するかしないかを自身で決めることができる。また、来訪者は、所望の応答者が親機２の近くにいないことを確認してから通話転送釦１７を使用することができるようになるので、押し間違いなどで不必要に外部端末３を呼び出すことを防ぐことができる。また、通話転送釦１７を操作する前に操作した呼出釦１１に対応づけられた応答者が、来訪者の所望の応答者であることがわかるので、少ない釦数で構成することができる。
【００４８】
なお、ここでは、通話転送釦１７が呼出釦１１が押されてから所定の時間応答がないときについてのみ使用可能とするものを説明したが、各呼出釦１１に対応した同数の通話転送釦１７を有して常時使用可能とするものであってもよい。例えば、子供が帰宅した時に、家が留守であることがわかっている場合等は最初から親に割りつけられている通話転送釦１７を操作することによって、親に帰宅したことを伝えることができる。このようにすれば、請求項４にも対応する実施形態となる。
【００４９】
また、通話転送釦１７が１つである場合には、例えば各呼出釦１１のうちの所望の１つと通話転送釦１７を同時に押すというようにしてもよいし、通話転送釦１７が別途設けられてないような場合には、呼出釦１１をある時間に複数回操作するなどの操作パターンにより通話転送釦１７の動作を行うものであってもよい。
【００５０】
なお、子機１と親機２が有線で接続され、親機２と外部端末３が無線で接続される例について説明したが、それに限るものではなく、子機１と親機２が無線で接続されていても親機２と外部端末３が有線で接続されていてもよい。また、親機２の外部回線インターフェイス部２ｄと外部端末３は電話機である場合について説明したが、これらを無線通信機としてもよい。
【００５１】
また、呼出釦１１は４つの例を示したが、それに限るものではなく、複数であればいくつであってもよい。
【００５２】
また、報知手段２ｂは、呼出音によるものについて説明したが、それに限るものではなく、発光ダイオードなどにより光で報知するものであってもよく、光の色や点滅パターンによってそれぞれの応答者に報知するものであってもよい。
【００５３】
また、音声信号のみを伝送するインターホンシステムについて説明したが、子機１にカメラを、また、親機２や外部端末３に液晶ディスプレイなどの表示部を設ければ、音声信号に加えて映像信号も伝送するインターホンシステムについても適用できる。
【００５４】
【発明の効果】
請求項１に係る発明によれば、来訪者が呼出釦に対応づけられた応答者を呼び出したときに、その応答者が親機の近くにいないときにも、転送処理部は、呼出釦別機能記憶部に記憶された動作情報と親機から離れた場所で通話可能な外部端末の情報により、外部端末に転送処理を行うため、来訪者は取り次ぎなどを必要とせず直接所望の応答者と通話することができる。
【００５５】
請求項２に係る発明によれば、請求項１記載の効果に加え、必要なときに呼出釦別機能記憶部に転送処理をするように記憶させれば、来訪者がその応答者を呼び出したときに転送処理が行われるので、その応答者は、外部端末により外部端末で来訪者と通話することができる。また、呼出釦別機能記憶部は、呼出釦ごとに動作を記憶するので、転送処理が必要のない別の応答者は、親機で来訪者と通話することができる。このことにより、応答者は、転送処理をするかしないかを設定することができる。
【００５６】
請求項３に係る発明によれば、請求項１記載の効果に加え、来訪者は、所望の応答者が外出中などで親機の近くにいないときにも、通話転送釦を押すことにより、取り次ぎなどを必要とせず直接応答者と通話することができるので、通話を転送するかしないかを自身で決めることができる。
【００５７】
請求項４に係る発明によれば、請求項３記載の効果に加え、来訪者は、所望の応答者が外出中などで親機の近くにいないときにも、その応答者に対応した通話転送釦を押すことにより、取り次ぎなどを必要とせず直接応答者と通話することができる。
【００５８】
請求項５に係る発明によれば、請求項３または４記載の効果に加え、来訪者は、所望の応答者が親機の近くにいないことを確認してから通話転送釦を使用することができるようになるので、押し間違いなどで不必要に外部端末を呼び出すことを防ぐことができる。
【図面の簡単な説明】
【図１】第１の実施形態と第２の実施形態を示す全体構成図である。
【図２】第１の実施形態の子機を示すブロック図である。
【図３】第１の実施形態と第２の実施形態の親機を示すブロック図である。
【図４】第２の実施形態の子機を示すブロック図である。
【符号の説明】
１　　　子機
１１　　呼出釦
１２　　制御部
１３　　演算部
１４　　スピーカ部
１５　　マイク部
１６　　親機インターフェイス部
１７　　通話転送釦
２　　　親機
２１　　応答釦
２２　　機能設定部
２３　　呼出釦別機能記憶部
２４　　制御部
２５　　ＲＯＭ
２６　　ＲＡＭ
２７　　演算部
２８　　マイク部
２９　　スピーカ部
２ａ　　報知音記憶部
２ｂ　　報知手段
２ｃ　　転送処理部
２ｄ　　外部回線インターフェイス部
２ｅ　　子機インターフェイス部
３　　　外部端末
【図１】
2004112043.tif 000003
【図２】
2004112043.tif 000004
【図３】
2004112043.tif 000005
【図４】
2004112043.tif 000006